(57)【特許請求の範囲】
【請求項１】
１又は複数ページ分の画像データを含む印刷ジョブを入力するためのジョブ入力部と、
複数の前記印刷ジョブを記憶する記憶部と、
前記記憶部に記憶された複数の前記印刷ジョブを連結し両面印刷を行う連結両面印刷の設定を受け付ける入力部と、
前記連結両面印刷の設定がなされたとき、連結される前記印刷ジョブのうち、少なくとも１つの前記印刷ジョブのページが用紙の一方の面に並んで印刷されるように、前記連結両面印刷でのページの配置を行う配置処理部と、
画像データに基づき、用紙に印刷を行うとともに、前記配置処理部が行ったページの配置に基づき印刷を行う画像形成部と、
用紙の両面に印刷するため、片面印刷済みの用紙を再度、前記画像形成部に送り込む両面印刷機構と、を含むことを特徴とする画像形成装置。
【請求項２】
前記入力部は、前記連結両面印刷での各前記印刷ジョブのページの配置を設定するページ配置設定を受け付け、
前記配置処理部は、前記ページ配置設定に基づき、前記連結両面印刷でのページの配置を行うことを特徴とする請求項１に記載の画像形成装置。
【請求項３】
前記入力部は、前記ページ配置設定として、連結する前記印刷ジョブを自動的に配置させる自動配置設定を受け付け、
前記配置処理部は、連結するそれぞれの前記印刷ジョブのページ数を確認し、それぞれのグループのページ数の差が最も少なくなるように、連結するそれぞれの前記印刷ジョブを２つのグループに分け、一方のグループの前記印刷ジョブのページを用紙の表面に配置し、他方のグループの前記印刷ジョブのページを用紙の裏面に配置することを特徴とする請求項２に記載の画像形成装置。
【請求項４】
前記入力部は、前記ページ配置設定として、連結する前記印刷ジョブのうち、関連付ける前記印刷ジョブを設定する関連付け設定を受け付け、
前記配置処理部は、前記関連付け設定がなされた各前記印刷ジョブのページが、用紙の表面又は裏面のいずれか一方にまとめて印刷されるように、ページの配置を行うことを特徴とする請求項２又は３に記載の画像形成装置。
【請求項５】
前記入力部は、連結する前記印刷ジョブのうち、用紙の表面に印刷する前記印刷ジョブを選択する入力、及び／又は、用紙の裏面に印刷する前記印刷ジョブを選択する入力を前記ページ配置設定として受け付け、
前記配置処理部は、用紙の表面に印刷すると選択された前記印刷ジョブのページが表面に印刷されるようにページを配置し、用紙の裏面に印刷すると選択された前記印刷ジョブのページが裏面に印刷されるようにページを配置することを特徴とする請求項２乃至４のいずれか１項に記載の画像形成装置。
【請求項６】
前記配置処理部は、前記入力部になされた設定に基づきページの配置を行うと、片面のみ印刷される用紙が２枚以上生ずるとき、印刷に用いる用紙が最小となるように、連結する印刷ジョブのページを用紙の両面に配置して、ページの配置を変更することを特徴とする請求項４又は５に記載の画像形成装置。
【請求項７】
前記配置処理部は、前記入力部になされた設定に基づきページの配置を行うと、片面のみ印刷される用紙が２枚以上生ずるとき、ページが多い方の面に配する前記印刷ジョブのページのうち一部又は全部のページを、１ページ内に複数ページを集約して、片面のみ印刷される用紙が１枚以下に収まるように、ページを配置することを特徴とする請求項４又は５に記載の画像形成装置。
【請求項８】
前記画像形成部は、いずれの前記印刷ジョブかを示す識別符号をページ内に印刷することを特徴とする請求項１乃至７のいずれか１項に記載の画像形成装置。
【請求項９】
前記入力部は、前記識別符号を印刷するか否かの設定を受け付け、
前記画像形成部は、前記識別符号を印刷すると設定されたとき、前記識別符号をページ内に印刷することを特徴とする請求項８に記載の画像形成装置。
【発明の詳細な説明】
【技術分野】
【０００１】
本発明は、複数の印刷ジョブを１つに連結して印刷を行う複写機、複合機、プリンタ、ＦＡＸ装置等の画像形成装置に関する。
【背景技術】
【０００２】
一般に、画像形成装置は、印刷ジョブをそれぞれ別個に印刷する。そのため、使用者にとって不便な場合がある。例えば、後処理装置でのステイプルは、印刷ジョブごとに行われ複数の印刷ジョブをまとめてステイプルできない。又、両面印刷する場合、印刷ジョブのページが奇数ページであると、１ページは片面しか印刷されず、片面印刷の用紙に、他の印刷ジョブのページを詰めて印刷することができない。これらを解決するため、複数のドキュメントを１つのドキュメントと扱う画像形成装置が特許文献１に記載されている。
【０００３】
具体的に、特許文献１には、画像を蓄積し出力でき、１つまたは複数の画像を１ドキュメントとして扱うドキュメントハンドリング手段と、複数のドキュメントを結合し、１ジョブとして扱うドキュメント結合手段を有する画像処理システムが記載されている。この構成により、複数のドキュメントを指定順にまとめて１ジョブとして出力し、ステイプル等をまとめて行う、両面出力も同じ用紙サイズの場合は白紙部分をつめて印刷する、複数ドキュメントをまとめて１ジョブとして扱うため、該当ジョブの中断・再開・キャンセル処理が複数のドキュメントに対してなされるため、これら一連の動作が簡単になる、といった効果を得ようとする（特許文献１：請求項１、段落［００８７］等参照）。
【先行技術文献】
【特許文献】
【０００４】
【特許文献１】特開２００１−３４５９７３号公報
【発明の概要】
【発明が解決しようとする課題】
【０００５】
印刷に用いる用紙を少なくできる、用紙１枚当たりの情報量が増える、といった利点により、両面印刷は、幅広く用いられている。しかし、両面印刷物には、特有の読みづらさがある。例えば、用紙の両面に印刷が行われるので、一面から他面に視点を移すとき、用紙を裏返す必要がある。又、表面と裏面の切替を頻繁に行うので、現在見ているページが表面か裏面か、わかりづらい。又、他ページを参照するとき、表面に印刷されているか、裏面に印刷されているかを確認して探す必要があり、探しづらい。又、今見ているページと、その裏面のページの照らし合わせはできない。
【０００６】
尚、特許文献１の記載の発明をみると、連結した印刷ジョブのページを詰めて両面印刷を行うので、両面印刷物の途中には片面印刷のみの用紙は生じない。しかし、特許文献１記載の発明の両面印刷では、結合されるそれぞれ印刷ジョブは、従来どおり用紙の表面と裏面に印刷される。
【０００７】
一方で、印刷ジョブの結合は、複数の印刷ジョブに関連性があるためなされる。そのため、複数の印刷ジョブを結合した印刷物では、他ページの参照や、現在見ているページと他ページ照らし合わせは頻繁に行われる。そのため、特許文献１記載の発明では、印刷ジョブを結合した両面印刷物の読みづらさが顕著になるという問題がある。
【０００８】
本発明は上記の問題点に鑑み、印刷ジョブを連結して両面印刷を行うとき、その印刷物を読みやすくすることを課題とする。
【課題を解決するための手段】
【０００９】
上記課題解決のため請求項１に係る画像形成装置は、１又は複数ページ分の画像データを含む印刷ジョブを入力するためのジョブ入力部と、複数の前記印刷ジョブを記憶する記憶部と、前記記憶部に記憶された複数の前記印刷ジョブを連結し両面印刷を行う連結両面印刷の設定を受け付ける入力部と、前記連結両面印刷の設定がなされたとき、連結される前記印刷ジョブのうち、少なくとも１つの前記印刷ジョブのページが用紙の一方の面に並んで印刷されるように、前記連結両面印刷でのページの配置を行う配置処理部と、画像データに基づき、用紙に印刷を行うとともに、前記配置処理部が行ったページの配置に基づき印刷を行う画像形成部と、用紙の両面に印刷するため、片面印刷済みの用紙を再度、前記画像形成部に送り込む両面印刷機構と、を含むこととした。
【００１０】
この構成によれば、連結両面印刷の設定がなされたとき、連結される印刷ジョブうち、少なくとも１つの印刷ジョブのページが用紙の一方の面に並んで印刷されるように、連結両面印刷でのページの配置がなされる。これにより、使用者は、用紙をひっくり返すことなく、片面印刷の場合と同様に、用紙の一方の面のみで、印刷ジョブの内容を続けて確認することができる。又、現在見ているページが表面か裏面か、わかりづらくなることもない。又、印刷ジョブでの隣合うページの照らし合わせも容易に行える。従って、連結両面印刷物の読みやすさを向上させることができる。
【００１１】
尚、本発明の両面印刷物を得るには、従来、設定を行い片面印刷した後、印刷順に注意しつつ再度設定を行い、実行する印刷ジョブとそのページ数や、印刷方向や、用紙詰まりに注意しながら、手差しトレイなどへ片面印刷済み用紙をセットして、未印刷面に印刷を実行するなど、非常な手間、使用者の作業が必要であり、煩わしいものであった。しかし、本発明によれば、多くの手間、作業を省くことができ、簡易に、読みやすい両面印刷物を得ることができる。
【００１２】
又、請求項２に係る発明は、請求項１の発明において、前記入力部は、前記連結両面印刷での各前記印刷ジョブのページの配置を設定するページ配置設定を受け付け、前記配置処理部は、前記ページ配置設定に基づき、前記連結両面印刷でのページの配置を行うこととした。
【００１３】
この構成によれば、入力したページ配置設定に基づき、連結両面印刷でのページの配置が行われる。これにより、使用者は、それぞれの印刷ジョブのページを、両面印刷の表面と裏面のいずれかに、任意に配置することができる。従って、あるページから、他の印刷ジョブのページの参照の関係を考慮しつつ、連結両面印刷物が読みやすくなるように、ページ配置の設定を行うことができる。
【００１４】
又、請求項３に係る発明は、請求項２の発明において、前記入力部は、前記ページ配置設定として、連結する前記印刷ジョブを自動的に配置させる自動配置設定を受け付け、前記配置処理部は、連結するそれぞれの前記印刷ジョブのページ数を確認し、それぞれのグループのページ数の差が最も少なくなるように、連結するそれぞれの前記印刷ジョブを２つのグループに分け、一方のグループの前記印刷ジョブのページを用紙の表面に配置し、他方のグループの前記印刷ジョブのページを用紙の裏面に配置することとした。
【００１５】
この構成によれば、それぞれのグループのページ数の差が最も少なくなるように、連結するそれぞれの印刷ジョブを２つのグループに分け、一方のグループの印刷ジョブのページを用紙の表面に配置し、他方のグループの印刷ジョブのページを用紙の裏面に配置する。これにより、同じ印刷ジョブのページは、用紙の一方の面に並べて印刷されるようにしつつ、自動的に、消費される用紙の枚数も少なくすることができる。従って、使用者は、細かい設定を行うことなく、読みやすい両面印刷物を得ることができる。
【００１６】
又、請求項４に係る発明は、請求項２又は３の発明において、前記入力部は、前記ページ配置設定として、連結する前記印刷ジョブのうち、関連付ける前記印刷ジョブを設定する関連付け設定を受け付け、前記配置処理部は、前記関連付け設定がなされた各前記印刷ジョブのページが、用紙の表面又は裏面のいずれか一方にまとめて印刷されるように、ページの配置を行うこととした。
【００１７】
この構成によれば、関連付け設定がなされた各印刷ジョブのページが、用紙の表面又は裏面のいずれか一方にまとめて印刷されるように、ページの配置がなされる。これにより、印刷ジョブ間の参照の頻度を考慮して関連付けを行えば、自動的に各印刷ジョブのページの配置がなされる。従って、使用者は、細かい設定を行うことなく、読みやすい両面印刷物を得ることができる。
【００１８】
又、請求項５に係る発明は、請求項２乃至４の発明において、前記入力部は、連結する前記印刷ジョブのうち、用紙の表面に印刷する前記印刷ジョブを選択する入力、及び／又は、用紙の裏面に印刷する前記印刷ジョブを選択する入力を前記ページ配置設定として受け付け、前記配置処理部は、用紙の表面に印刷すると選択された前記印刷ジョブのページが表面に印刷されるようにページを配置し、用紙の裏面に印刷すると選択された前記印刷ジョブのページが裏面に印刷されるようにページを配置することとした。
【００１９】
この構成によれば、用紙の表面に印刷すると選択された印刷ジョブのページが表面に印刷されるようにページが配置される。又、用紙の裏面に印刷すると選択された印刷ジョブのページが裏面に印刷されるようにページが配置される。これにより、使用者は、いずれの面にどの印刷ジョブを配するかを自由に設定することができる。従って、使用者は、所望する印刷物を得ることができる。
【００２０】
又、請求項６に係る発明は、請求項４又は５の発明において、前記配置処理部は、前記入力部になされた設定に基づきページの配置を行うと、片面のみ印刷される用紙が２枚以上生ずるとき、印刷に用いる用紙が最小となるように、連結する印刷ジョブのページを用紙の両面に配置して、ページの配置を変更することとした。
【００２１】
この構成によれば、片面のみ印刷される用紙が２枚以上生ずるとき、印刷に用いる用紙が最小となるように、連結する印刷ジョブのページを用紙の両面に配置して、ページの配置を変更する。これにより、連結両面印刷で用いられる用紙の枚数を最小に抑えることができる。従って、連結両面印刷での用紙消費を抑えることができる。例えば、用紙の両面にページが配される印刷ジョブは、関連付けられた印刷ジョブでない印刷ジョブとしてもよい。
【００２２】
又、請求項７に係る発明は、請求項４又は５の発明において、前記配置処理部は、前記入力部になされた設定に基づきページの配置を行うと、片面のみ印刷される用紙が２枚以上生ずるとき、ページが多い方の面に配する前記印刷ジョブのページのうち一部又は全部のページを、１ページ内に複数ページを集約して、片面のみ印刷される用紙が１枚以下に収まるように、ページを配置することとした。
【００２３】
この構成によれば、片面のみ印刷される用紙が２枚以上生ずるとき、片面のみ印刷される用紙が１枚以下に収まるように、１ページ内に複数ページを集約する。このように集約を行っても、連結両面印刷で用いられる用紙の枚数を最小に抑えることができる。従って、連結両面印刷による用紙の消費増加を抑えることができる。
【００２４】
又、請求項８に係る発明は、請求項１乃至７の発明において、前記画像形成部は、いずれの前記印刷ジョブかを示す識別符号をページ内に印刷することとした。
【００２５】
この構成によれば、いずれの印刷ジョブかを示す識別符号がページ内に印刷される。この識別符号が印刷物に自動的に付されることにより、現在見ているページがどの印刷ジョブのページかを容易に把握することができる。
【００２６】
又、請求項９に係る発明は、請求項８の発明において、前記入力部は、前記識別符号を印刷するか否かの設定を受け付け、前記画像形成部は、前記識別符号を印刷すると設定されたとき、前記識別符号をページ内に印刷することとした。
【００２７】
この構成によれば、識別符号を印刷すると設定されたとき、識別符号はページ内に印刷される。これにより、使用者は、識別符号を印刷するか否かを選択することができる。
【発明の効果】
【００２８】
上述したように、本発明によれば、印刷ジョブを連結して両面印刷を行うとき、印刷物が読みやすい画像形成装置を提供することができる。
【図面の簡単な説明】
【００２９】
【図１】第１の実施形態に係る複合機の一例を示す正面模型的断面図である。
【図２】第１の実施形態に係る操作パネルの一例を示す平面図である。
【図３】第１の実施形態に係る複合機等のハードウェア構成の一例を示すブロック図である。
【図４】第１の実施形態に係る印刷ジョブボックス画面の一例を示す説明図である。
【図５】第１の実施形態に係る連結両面印刷でのページ配置の一例を示す説明図である。
【図６】第１の実施形態に係る連結両面印刷でのページ配置基本画面の一例を示す説明図である。
【図７】第１の実施形態に係る連結両面印刷での関連付け設定画面の一例を示す説明図である。
【図８】第１の実施形態に係る連結両面印刷でのページ配置の一例を示す説明図である。
【図９】第１の実施形態に係る連結両面印刷の直接指定画面の一例を示す説明図である。
【図１０】第１の実施形態に係る連結両面印刷のページ配置の一例を示す説明図である。
【図１１】第１の実施形態に係る連結両面印刷での最小化設定画面の一例を示す説明図である。
【図１２】第１の実施形態に係る連結両面印刷のページ配置の一例を示す説明図である。
【図１３】第１の実施形態に係る連結両面印刷でのマーキング設定画面の一例を示す説明図である。
【図１４】第１の実施形態に係るマーキング位置の一例を示す説明図である。
【図１５】第１の実施形態に係る複合機での連結両面印刷の設定の流れの一例を示すフローチャートである。
【図１６】第２の実施形態に係る集約処理を説明するための説明図である。
【図１７】第２の実施形態に係る連結両面印刷のページ配置の一例を示す説明図である。
【発明を実施するための形態】
【００３０】
以下、図１〜図１５を用い、本発明の第１の実施形態を説明する。ここで、画像形成装置として、複合機１００を例に挙げ説明する。但し、本実施の形態に記載されている構成、配置等の各要素は、発明の範囲を限定せず、単なる説明例にすぎない。
【００３１】
（画像形成装置の概略）
図１を用い、本発明の第１の実施形態に係る複合機１００の概略を説明する。図１は、本発明の第１の実施形態に係る複合機１００の一例を示す正面模型的断面図である。
【００３２】
図１に示すように、複合機１００の正面前方には、複合機１００に関して各種設定を行うための操作パネル１（入力部に相当）が設けられる（詳細は後述）。又、図１に示すように、本実施形態の複合機１００は、上部に、画像読取部２（ジョブ入力部に相当）と原稿搬送部３が設けられる。又、複合機１００は、内部に、給紙部４ａ、搬送路４ｂ、画像形成部５、中間転写部６ａ、定着部６ｂ、排出搬送部７ａ（両面印刷機構に相当）、両面搬送路７ｂ（両面印刷機構に相当）等を備える。
【００３３】
原稿搬送部３は、読み取る原稿を載置する原稿トレイ３１を有する。そして、原稿搬送部３は、原稿トレイ３１から原稿を１枚ずつ、自動的に連続して読取位置（送り読取用コンタクトガラス２１）に搬送する。又、原稿搬送部３は、図１の紙面奥側を支点として画像読取部２に上下方向に開閉自在に取り付けられ、画像読取部２のコンタクトガラス（送り読取用コンタクトガラス２１及び載置読取用コンタクトガラス２２）を上方から押さえるカバーとしても機能する。
【００３４】
次に、画像読取部２は、図１に示すように、上面に送り読取用コンタクトガラス２１と、書籍等の原稿を１枚ずつ読み取る際に原稿を載置する載置読取用コンタクトガラス２２が配される。画像読取部２内には、ランプ、ミラー、レンズ、イメージセンサ等（不図示）が配される。イメージセンサは、送り読取用コンタクトガラス２１を通過する原稿、あるいは、載置読取用コンタクトガラス２２に載置された原稿の反射光を元に、原稿を読み取る。そして、イメージセンサは、反射光を画像濃度に応じたアナログの電気信号に変換し、その後、量子化を行い、原稿の画像データが得られる。尚、本実施形態の画像読取部２は、カラーでも読み取り可能であり、白黒でも読み取り可能である。
【００３５】
複合機１００本体内の複数の給紙部４ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部４ａは、それぞれ回転駆動する給紙ローラ４１を備え、印刷時、１枚ずついずれかの給紙部４ａが搬送路４ｂに用紙を送り込む。
【００３６】
搬送路４ｂは、給紙部４ａから画像形成部５まで装置内で用紙を搬送する通路である。そして、搬送路４ｂには、用紙の案内のためのガイド板や、用紙搬送時に回転駆動する搬送ローラ対４２（図２おいて、上方から４２ａ、４２ｂ、４２ｃの計３つ）や、搬送される用紙を画像形成部５の手前で待機させ、形成されたトナー像の転写タイミングに合わせ用紙を送り出すレジストローラ対４３等が設けられる。
【００３７】
画像形成部５は、複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取部２で読み取られた画像データや後述の記憶部８２に記憶される画像データ等に基づき、レーザ光を点消灯しつつ出力し、各感光体ドラムを走査露光する。各画像形成ユニット５０は、回転駆動可能に支持された感光体ドラムや、感光体ドラムの周囲に配設された帯電装置、現像装置、清掃装置等を備える。そして、各画像形成ユニット５０と露光装置５１によって、感光体ドラムの周面上にトナー像が形成される。
【００３８】
中間転写部６ａは、各画像形成ユニット５０からトナー像の１次転写を受け、シートに２次転写を行う。中間転写部６ａは、各１次転写ローラ６１Ｂｋ〜６１Ｍ、中間転写ベルト６２、駆動ローラ６３、複数の従動ローラ６４（６４Ａ〜６４Ｃ）、２次転写ローラ６５、ベルト清掃装置６６等を含む。各１次転写ローラ６１Ｂｋ〜６１Ｍは対応する感光体ドラムと無端状の中間転写ベルト６２を挟み込む。転写用電圧が、各１次転写ローラ６１Ｂｋ〜６１Ｍに印加され、トナー像は中間転写ベルト６２に転写される。
【００３９】
中間転写ベルト６２は、駆動ローラ６３等に張架され、モータ等の駆動機構（不図示）に接続される駆動ローラ６３の回転駆動により周回する。又、駆動ローラ６３は、２次転写ローラ６５とで中間転写ベルト６２を挟み込む。各画像形成ユニット５０で形成されたトナー像（ブラック、イエロー、シアン、マゼンタの各色）は、順次、ずれなく重畳して中間転写ベルト６２に１次転写された後、所定の電圧を印加された２次転写ローラ６５により、シートに転写される。
【００４０】
定着部６ｂは、用紙に転写されたトナー像を定着させる。定着部６ｂは、主として、発熱体を内蔵する加熱ローラ６７とこれに圧接する加圧ローラ６８で構成される。そして、加熱ローラ６７と加圧ローラ６８のニップ通過により、トナーが溶融・加熱され、トナー像が用紙に定着する。定着部６ｂから排出された用紙は、排出トレイ７１方向に送られる。
【００４１】
排出搬送部７ａは、印刷済の用紙を排出トレイ７１方向又は両面搬送路７ｂ方向に用紙搬送方向を仕分ける。そして、排出搬送部７ａは、正回転方向に回転駆動して排出トレイ７１方向に送り出す、或いは、両面印刷のため逆回転しスイッチバックを行う排出ローラ対７２を有する。
【００４２】
又、排出搬送部７ａは、用紙の搬送方向を切り替えるため、切替弁７３を有する。切替弁７３は回動する。切替弁７３は、両面搬送路７ｂを閉じて用紙を排出トレイ７１方向に導く位置を基本位置とする。両面印刷のとき、切替弁７３は、回動してスイッチバックされた片面印刷済みの用紙を両面搬送路７ｂに導く。
【００４３】
両面搬送路７ｂは、定着部６ｂの下流側とレジストローラ対４３の上流側とを結ぶ。両面搬送路７ｂは、両面印刷のため、回転駆動する複数の両面搬送ローラ対７４〜７６を有し、片面印刷済の用紙を搬送する。
【００４４】
（操作パネル１）
次に、図２を用いて、本発明の第１の実施形態に係る操作パネル１（入力部に相当）の一例を説明する。図２は本発明の第１の実施形態に係る操作パネル１の一例を示す平面図である。
【００４５】
操作パネル１は、図１に示すように、複合機１００の正面上方に設けられ、複合機１００の設定や動作指示を与えるためのメニューやキーや複合機１００等の状態メッセージ等の各種画像、画面を表示する液晶表示部１１を有する。使用者は、液晶表示部１１に表示されたキーを押下して、複合機１００のコピーにおける各種設定を入力できる。
【００４６】
又、液晶表示部１１の上面にタッチパネル部１２（入力部に相当）が設けられる。タッチパネル部１２は、使用者が液晶表示部１１を押した部分の位置、座標を検出するためのものである。このタッチパネル部１２を用いた検出座標と、液晶表示部１１に示される各種キーの位置、座標を比較し、使用者が押下して選択したキーが特定される。尚、タッチパネル部１２としては、抵抗膜方式、表面弾性波方式、赤外線方式、静電容量方式等、各方式のものを採用でき特に制限はない。
【００４７】
又、操作パネル１には、例えば、以下のようなハードとしてのキー（ボタン）が設けられる。例えば、数字入力用のテンキー部１３（入力部に相当）、コピー等の処理開始指示用のスタートキー１４（入力部に相当）、コピー機能を利用する際に押されるコピーキー１５、スキャナ機能、ＦＡＸ機能を利用する際に押される送信キー１６、複合機１００内に蓄積された印刷ジョブを実行する際に押されるボックスキー１７が設けられる（詳細は後述）。このように、操作パネル１には、タッチパネル部１２や各種ハードキーが備えられ、複合機１００の各機能について、各種設定、モード選択等を行う入力部として機能する。
【００４８】
（複合機１００等のハードウェア構成）
次に、図３を用いて、本発明の第１の実施形態に係る複合機１００等のハードウェア構成の一例を説明する。図３は、本発明の第１の実施形態に係る複合機１００等のハードウェア構成の一例を示すブロック図である。
【００４９】
まず、複合機１００の本体側から説明する。複合機１００本体内には、本体制御部８（配置処理部に相当）が設けられる。本体制御部８は、例えば、操作パネル１、原稿搬送部３、画像読取部２、給紙部４ａ、搬送路４ｂ、画像形成部５、定着部６ｂ、排出搬送部７ａ等と接続され、これらの制御を行う。
【００５０】
本体制御部８は、例えば、ＣＰＵ８１等の素子を含む。ＣＰＵ８１は記憶部８２に格納され、展開される制御プログラムに基づき演算等を行い、複合機１００の各部を制御する。尚、本体制御部８は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を本体制御部８としてまとめた形態を示し、説明する。
【００５１】
記憶部８２は、本体制御部８と接続される。記憶部８２は、ＲＯＭ、ＲＡＭ、ＨＤＤ等の不揮発性と揮発性の記憶部８２を組み合わせて構成される。記憶部８２は、複合機１００の制御用プログラム、制御用データ、設定データ、画像データ等の各種データを記憶できる。又、本発明に関し、記憶部８２は、画像読取部２で読み取った原稿の１又は複数ページ分の画像データや、外部のコンピュータ２００から送信された１又は複数ページ分の画像データを含む印刷ジョブを蓄積、記憶することができる（詳細は後述）。
【００５２】
そして、本体制御部８は、各種コネクタ、ソケットやＦＡＸモデム等を備えた通信部８３（通信用インターフェイス、ジョブ入力部に相当）と接続される。通信部８３はネットワークや公衆回線等により複数の外部のコンピュータ２００（例えば、パーソナルコンピュータ）や相手方ＦＡＸ装置３００（図７では、いずれも便宜上１つのみ図示）と接続される。例えば、画像読取部２で得られた画像データを記憶部８２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００５３】
又、例えば、本体制御部８には、画像読取部２で原稿を読み取って得られた画像データや通信部８３を介して複合機１００に入力された画像データに対し、画像処理を施す画像処理部８４が設けられる。画像処理部８４が処理した画像データは、例えば、露光装置５１に送信され、感光体ドラムの走査・露光に用いられる。
【００５４】
画像処理部８４は、例えば、画像処理用のＡＳＩＣやワークメモリを含み、拡大、縮小、回転、濃度変換などの各種画像処理を行う。本発明に関し、画像処理部８４は、連結両面印刷（印刷ジョブを連結しての両面印刷）を行うとき、連結両面印刷に含まれる各印刷ジョブのページを配置する処理を行う。
【００５５】
又、本体制御部８は、操作パネル１と通信可能に接続され、操作パネル１になされた入力を認識し、使用者の設定にあわせてコピー等が行われるように複合機１００を制御する。本実施形態の操作パネル１は、表示制御部１０、メモリ１８、液晶表示部１１、タッチパネル部１２や各種キーを有する。表示制御部１０は、ＣＰＵやＩＣ等で構成され、液晶表示部１１の表示を制御し、タッチパネル部１２の出力を受け、液晶表示部１１で押下された座標を特定する。タッチパネル部１２の出力と座標の対応を示すテーブル等のデータは、メモリ１８に記憶される。表示制御部１０は、押下位置の座標と、各種設定画面の画像データを比較する等により、設定画面上で選択された（押下された）キーを特定、認識する。表示制御部１０は、ボックスキー１７等の各種ハードキーとも接続され、各種ハードキーが押されたことを認識する。
【００５６】
そして、液晶表示部１１で表示される画面、画像の画像データは、例えば、操作パネル１内のメモリ１８が記憶する。従って、表示制御部１０は、液晶表示部１１に表示されたキーが押されるごとに、次に表示すべき画面、画像の画像データをメモリ１８から読み出す。尚、液晶表示部１１が表示する画面、画像の画像データは、例えば、本体側の記憶部８２に記憶させてもよい。この場合、操作パネル１は、液晶表示部１１で表示を行うための画像データを、本体制御部８を介し記憶部８２から受信する。又、操作パネル１には、表示制御部１０、メモリ１８を設けず、本体側の構成（ＣＰＵ８１や記憶部８２）が、表示制御部１０やメモリ１８の機能を代用しても良い。
【００５７】
（記憶された印刷ジョブの実行）
次に、図４を用いて、本発明の第１の実施形態に係る複合機１００での記憶された印刷ジョブを説明する。図４は、本発明の第１の実施形態に係る印刷ジョブボックス画面９１の一例を示す説明図である。
【００５８】
上述したように、本実施形態の複合機１００の記憶部８２は、画像読取部２で読み取った原稿の１又は複数ページ分の画像データや（スキャン機能）、外部のコンピュータ２００から送信された１又は複数ページ分の画像データを、印刷ジョブとして蓄積、記憶できる。操作パネル１や、あるいは、コンピュータ２００にインストールされたドライバソフトウェアで、記憶部８２に記憶する設定がなされると、記憶部８２は、画像データの蓄積を行う。このとき、印刷ジョブに対しては、操作パネル１やコンピュータ２００で、名称付けを行える。そして、仮想的に印刷ジョブボックスが、記憶部８２の記憶領域（例えば、ＨＤＤの一部の記憶領域）に設けられる。記憶部８２は、印刷ジョブを印刷ジョブボックスに記憶する。
【００５９】
使用者は、操作パネル１のボックスキー１７を押して、液晶表示部１１に印刷ジョブボックス画面９１を表示させ得る。この印刷ジョブボックス画面９１では、記憶部８２に蓄積された印刷ジョブに対する操作を行うことができる。
【００６０】
例えば、表示制御部１０は、一覧表示領域Ｆ１に表示する印刷ジョブの情報を記憶部８２や本体制御部８から受け取る。そして、表示制御部１０は、印刷ジョブボックス画面９１の一覧表示領域Ｆ１に、記憶部８２に蓄積された印刷ジョブを一覧で液晶表示部１１に表示させる。なお、記憶部８２に蓄積された印刷ジョブが多数で１画面中に表示しきれない場合、一覧表示領域Ｆ１の右方に配されたスクロールバー９１ａで、スクロールさせ、異なる印刷ジョブを表示させることができる。
【００６１】
印刷ジョブボックス画面９１では、蓄積された印刷ジョブのうち、操作、処理を行う印刷ジョブを選択することができる。使用者は、操作、処理をしようとする印刷ジョブを押す。そうすると、押された印刷ジョブは、選択状態となる。表示制御部１０は、選択状態の印刷ジョブを、例えば、白黒反転状態で表示させ、選択されていることを示す。尚、チェックボックスを設ける等により、白黒反転以外の方法で、印刷ジョブが選択された状態であることが示されてもよい。
【００６２】
又、印刷ジョブボックス画面９１の下方には、連結両面印刷キーＫ０、印刷実行キーＫ１、削除キーＫ２、閉じるキーＫ３などが設けられる。連結両面印刷キーＫ０は、連結両面印刷を行うとき、押す。印刷実行キーＫ１は、選択した印刷ジョブをそれぞれ個別に印刷するときに押す。削除キーＫ２は、選択した印刷ジョブを記憶部８２から消すときに押す。閉じるキーＫ３は、印刷ジョブボックス画面９１を閉じるとき押す。
【００６３】
選択された印刷ジョブと、連結両面印刷キーＫ０や印刷実行キーＫ１や削除キーＫ２が押された旨は操作パネル１の表示制御部１０から本体制御部８に伝えられる。そして、本体制御部８は、押されたキーに対応した処理を行う。
【００６４】
（連結両面印刷の概要）
次に、図５に基づき、本発明の第１の実施形態に係る複合機１００での連結両面印刷の概要を説明する。図５は、本発明の第１の実施形態に係る連結両面印刷でのページ配置の一例を示す説明図である。
【００６５】
本実施形態の複合機１００では、複数の印刷ジョブを連結して、１つの印刷ジョブと扱ったうえで、両面印刷を行うことができる（連結両面印刷）。そして、本実施形態の連結両面印刷では、用紙の一方の面に、同じ印刷ジョブのページを順番に配する点で、従来の印刷ジョブを結合した両面印刷と異なる。
【００６６】
図５は、図４の印刷ジョブボックス画面９１で、Ａと名付けられた印刷ジョブ（以下、「印刷ジョブＡ」と称する）と、Ｂと名付けられた印刷ジョブ（以下、「印刷ジョブＢ」と称する）と、Ｃと名付けられた印刷ジョブ（以下、「印刷ジョブＣ」と称する）と、Ｄと名付けられた印刷ジョブ（以下、「印刷ジョブＤ」と称する）と、が選択され、連結両面印刷キーＫ０が押されたときのページ配置の一例を示している。
【００６７】
尚、図５での矩形は、用紙を示し、矩形内の数字は、先頭からの用紙枚数を示す。又、「Ａ−ｎ（ｎは整数）」、「Ｂ−ｎ（ｎは整数）」、「Ｃ−ｎ（ｎは整数）」、「Ｄ−ｎ（ｎは整数）」の表示でのアルファベットは、印刷ジョブの種類を示し、ｎは、該当印刷ジョブにおけるページを示している（以下の図でも同様）。
【００６８】
図５に示すように、本実施形態の連結両面印刷では、本体制御部８（画像処理部８４）は、用紙の同じ面に、同じ印刷ジョブのページが順番に配されるように、ページの配置を行う。例えば、連結両面印刷を行うと、印刷ジョブＡ（全３ページ）の１ページ目〜３ページ目と、印刷ジョブＣ（全５ページ）の１ページ目〜５ページ目が、用紙の表面に印刷される。又、印刷ジョブＢ（全６ページ）の１ページ目〜６ページ目と、印刷ジョブＤ（全２ページ）の１ページ目、２ページ目が、用紙の裏面に印刷される。
【００６９】
これにより、印刷ジョブに含まれるページが用紙の一方の面に印刷され、見やすい書類、資料を作成できる。そこで、連結両面印刷機能を用いる上での細かな設定について、以下に説明してゆく。
【００７０】
（連結両面印刷での設定・関連付け設定）
次に、図６〜図８を用いて、本発明の第１の実施形態に係る連結両面印刷での設定の一例を説明する。図６は、本発明の第１の実施形態に係る連結両面印刷での基本画面９２の一例を示す説明図である。図７は、本発明の第１の実施形態に係る連結両面印刷での関連付け設定画面９３の一例を示す説明図である。図８は、本発明の第１の実施形態に係る連結両面印刷でのページ配置の一例を示す説明図である。
【００７１】
まず、図６は、連結両面印刷で、連結する各印刷ジョブのページ配置の設定を行ううえでの基本画面（基本画面９２）である。この基本画面９２では、ページ配置の設定方法を選択できる。例えば、ページ配置の設定方法を定めるためのキーとして、自動キーＫ４と、関連付けキーＫ５と、直接指定キーＫ６が配される。
【００７２】
まず、自動キーＫ４が押されると、本体制御部８は、連結両面印刷すると選択された各印刷ジョブのページ数を確認し、できるだけ合計ページ数が等しくなるように、選択された印刷ジョブを２つに分ける。そして、本体制御部８（画像処理部８４）は、選択された印刷ジョブについて、用紙の同じ面に、同じ印刷ジョブのページが順番に配されるように、ページの配置を行う。例えば、上述の印刷ジョブＡ〜Ｄが選択されたとき、本体制御部８は、図５に示すように、自動的にページを配置する。
【００７３】
そして、関連付けキーＫ５は、関連づけしたページを自動的に配置するときに押される。図７は、図６の基本画面９２で関連付けキーＫ５が押されたときに表示される関連付け設定画面９３の一例を示す。使用者は、関連付けする印刷ジョブを押して指定する。表示制御部１０は、関連付けしようとして押された印刷ジョブを、白黒反転状態で液晶表示部１１に表示させる。図７では、印刷ジョブＡ、印刷ジョブＣ、印刷ジョブＤを関連付けると設定された状態である。
【００７４】
そして、図８は、印刷ジョブＡ、印刷ジョブＣ、印刷ジョブＤを関連付けたうえで、印刷ジョブを実行したときのページ配置の一例を示す。用紙の一方の面（表面）には、印刷ジョブＡ、印刷ジョブＣ、印刷ジョブＤのページが印刷される。用紙の他方の面（裏面）には、関連付けられなかった印刷ジョブＢのページが印刷される。このように、使用者は、関連付けを行うだけで、各印刷ジョブのページが自動的に配される。従って、印刷ジョブ間の参照の可能性等を考慮しつつ、印刷ジョブを連結させて、簡易に読みやすい資料、書類を作成することができる。
【００７５】
（連結両面印刷での設定・直接指定）
次に、図９、図１０を用いて、本発明の第１の実施形態に係る連結両面印刷での設定の一例を説明する。図９は、本発明の第１の実施形態に係る連結両面印刷での直接指定画面９４の一例を示す説明図である。図１０は、本発明の第１の実施形態に係る連結両面印刷でのページ配置の一例を示す説明図である。
【００７６】
使用者は、図６に示した基本画面９２で、直接指定キーＫ６を押し、各印刷ジョブを用紙の表面と裏面のいずれに配置するかを直接指定することができる。そして、図９は、直接指定キーＫ６が押されたときに表示される直接指定画面９４の一例を示す。表示制御部１０は、表面に印刷するか、裏面に印刷するかを指定するためのチェックボックスを液晶表示部１１に表示させる。図９では、印刷ジョブＡと印刷ジョブＢを表面に、印刷ジョブＣと印刷ジョブＤを裏面に印刷すると直接的に指定した状態を示している。
【００７７】
そして、図１０は、印刷ジョブＡ、印刷ジョブＢを表面に、印刷ジョブＣと印刷ジョブＤを裏面に印刷すると直接的に指定したうえで、印刷ジョブを実行したときのページ配置の一例を示す。用紙の一方の面（表面）には、印刷ジョブＡ、印刷ジョブＢが、用紙の他方の面（裏面）には、印刷ジョブＣと印刷ジョブＤが印刷される。このように、印刷ジョブ間の参照の可能性等を考慮しつつ、どの印刷ジョブを用紙のいずれの面に配するかを細かく設定し、印刷ジョブを連結させて、所望するページ配置の資料、書類を作成することができる。
【００７８】
（連結両面印刷での用紙枚数最小化）
次に、図１１、図１２を用いて、本発明の第１の実施形態に係る連結両面印刷での用紙枚数最小化の一例を説明する。図１１は、本発明の第１の実施形態に係る連結両面印刷での最小化設定画面９５の一例を示す説明図である。図１２は、本発明の第１の実施形態に係る連結両面印刷でのページ配置の一例を示す説明図である。
【００７９】
上述したように、関連付けや直接指定により、同じ印刷ジョブのページを用紙の一方の面に印刷を行うことができる。しかし、場合によっては、片面印刷済みの用紙が多く、連結両面印刷に要する用紙枚数が多くなり得る。そこで、本実施形態の複合機１００では関連付けや直接指定した後、連結両面印刷での用紙枚数を最小にするか否かの設定を行うための（用紙枚数の）最小化設定画面９５を表示する。
【００８０】
最小化設定画面９５では、表面ページ数表示欄Ｂ１と、裏面ページ数表示欄Ｂ２が設けられる。表示制御部１０は、関連付けや直接指定での設定内容に応じ、表面と裏面の総ページ数を、液晶表示部１１に表示させる。印刷ジョブＡ〜Ｄを連結両面印刷の対象とし、印刷ジョブＡ、印刷ジョブＣ、印刷ジョブＤを関連付けたときのページ配置例（図８参照）での表示例を、図１１に示している（表面ページ数表示欄Ｂ１に１０ページ、裏面ページ数表示欄Ｂ２に６ページと表示）。
【００８１】
そして、最小化設定画面９５には、最小化実行キーＫ７と、非最小化キーＫ８が設けられる。最小化実行キーＫ７は、連結両面印刷での用紙枚数を最小化するときに押される。非最小化キーＫ８は、連結両面印刷での用紙枚数を最小化しないときに押される。そして、最小化実行キーＫ７が押されると、本体制御部８は、連結両面印刷での配置を、用紙枚数が最小となるように変更する。
【００８２】
例えば、図１２は、連結両面印刷での用紙枚数の最小化に伴うページ配置の変更例を示している。この変更例を示す図１２では、印刷ジョブＡ〜Ｄを連結両面印刷の対象とし、印刷ジョブＡ、印刷ジョブＣ、印刷ジョブＤを関連付けたときのページ配置を最小化した例を示している。
【００８３】
図１２の上段に示すように、最小化前では、関連付けにより、印刷ジョブＡ、印刷ジョブＣ、印刷ジョブＤが用紙の表面に印刷され、印刷ジョブＢが用紙の裏面に印刷される。計１０枚の用紙が消費される。そして、４ページほどが、裏面に印刷がなされない。
【００８４】
そして、最小化実行キーＫ７が押されると、本体制御部８は、連結両面印刷でのページの配置を変更する。例えば、本体制御部８は、印刷ジョブＣの一部（印刷ジョブＣの４ページ目と５ページ目）を印刷ジョブＤの裏面に印刷されるようにページの配置を変更する。このとき、印刷ジョブＤを裏面に移動させてもよい。しかし、印刷ジョブＤは、印刷ジョブＡ、印刷ジョブＣと関連付けがなされているので、関連付けられた印刷ジョブのページが残るように、印刷ジョブＣの一部の配置を移動する。そして、表面で移動させた印刷ジョブＣの４ページと５ページの位置に、印刷ジョブＤのページを配置する。これにより、全ての用紙の両面に印刷がなされ、片面印刷のみの用紙が１枚以下となり、連結両面印刷で用いる用紙を最も少なくすることができる。
【００８５】
尚、上記の例では、印刷ジョブの関連付けを行ったときの最小化を説明した。しかし、用紙の表面と裏面のいずれに配置するかを直接指定したときも、指定にかかわらず、印刷ジョブの一部のページを印刷しようとした方の面から、他面に配置を変更して、最小化が行われてもよい。又、自動キーＫ４が押され、本体制御部８が連結両面印刷すると選択された各印刷ジョブを、ページ数が等しくなるように２つのグループに分けても、印刷ジョブの枚数によっては、選択された印刷ジョブを一方の面だけに印刷すると、片面印刷のみの用紙が増えることがある（例えば、１つの印刷ジョブだけ、他の印刷ジョブに比べてページ数が非常に多いとき）。そのため、自動キーＫ４が押され、連結両面印刷すると選択された各印刷ジョブを、ページ数が等しくなるように２つのグループに自動的に分けるときも印刷ジョブの一部のページを印刷しようとした方の面から、他面に配置を変更して、最小化が行われてもよい。
【００８６】
（連結両面印刷でのマーキング）
次に、図１３、図１４を用いて、本発明の第１の実施形態に係る連結両面印刷での用紙へのマーキングの一例を説明する。図１３は、本発明の第１の実施形態に係る連結両面印刷でのマーキング設定画面９６の一例を示す説明図である。図１４は、本発明の第１の実施形態に係るマーキング位置の一例を示す説明図である。
【００８７】
上述したように、自動設定や、関連付けや、直接指定により、同じ印刷ジョブのページを用紙の一方の面に印刷を行うことができる。そして、識別符号（識別用の符号）を印刷すると、どの印刷ジョブであるかがわかりやすくなる。そこで、本実施形態の表示制御部１０は、関連付けや直接指定した後、連結両面印刷での用紙の各面に識別符号を付すか（マーキングを行うか）を設定するためのマーキング設定画面９６を液晶表示部１１する。
【００８８】
識別符号としては、印刷ジョブの名称や、印刷ジョブの区別を示す、アルファペット、数字、記号、図柄、模様を用いることができる。例えば、本体制御部８は、印刷ジョブごとに、用いるアルファベットを変更し、とする。例えば、本体制御部８は、印刷ジョブＡのページには「Ａ」を余白Ｗに印刷させ、印刷ジョブＢのページには「Ｂ」を余白Ｗに印刷させる。又、数字を識別符号（マーク）として用いるならば、本体制御部８は、印刷ジョブＡのページには「１」を余白Ｗに印刷させ、印刷ジョブＢのページには「２」を余白Ｗに印刷させる。例えば、記号を識別符号（マーク）として用いるならば、本体制御部８は、印刷ジョブＡのページには「○」を余白Ｗに印刷させ、印刷ジョブＢのページには「□」を余白Ｗに印刷させる。尚、同じ印刷ジョブに同じ識別符号を付し、印刷ジョブの差を区別できればよく、識別符号として、印刷ジョブの名称、アルファベット、数字、記号、図柄、模様のいずれを用いるかは自由であり、又、組み合わせて用いてもよい。
【００８９】
そして、マーキング設定画面９６には、マーキング実行キーＫ９と、マーキング非実行キーＫ１０が設けられる。マーキング実行キーＫ９は、連結両面印刷で、各面に識別符号を印刷するときに押される。マーキング非実行キーＫ１０は、連結両面印刷で、各面に識別符号を印刷しないときに押される。そして、マーキング実行キーＫ９が押されて連結両面印刷の実行がなされると（連結両面印刷実行キーＫ１１が押されると）、本体制御部８は、連結両面印刷で、各ページの余白Ｗに識別符号を画像形成部５に形成させ、印刷させる。
【００９０】
識別符号を印刷する位置であるが、余白Ｗであれば、いずれでもよい。図１４では、連結両面印刷での識別符号の配置位置の一例を破線で示している。例えば、上部余白の左端、中央、右端の位置や、下部余白の左端、中央、右端の位置のいずれかの位置に、識別符号を印刷する。これにより、連結両面印刷物で、今見ているページが、どの印刷ジョブであるか、わかりやすくすることができる。尚、いずれの位置に識別符号を印刷するか、操作パネルは、設定を受け付けるようにしてもよい。
【００９１】
（連結両面印刷の流れ）
次に、図１５を用いて、本発明の第１の実施形態に係る複合機１００での連結両面印刷の設定の流れの一例を説明する。図１５は、本発明の第１の実施形態に係る複合機１００での連結両面印刷の設定の流れの一例を示すフローチャートである。尚、本説明では、連結両面印刷を行うことを前提として説明を行う。
【００９２】
まず、スタートは、連結両面印刷のため、ボックスキー１７等を押して、印刷ジョブボックス画面９１が開かれた時点である。そして、表示制御部１０は、本体制御部８から記憶部８２に記憶（蓄積）されている印刷ジョブの情報（印刷ジョブ名、ページ数、用紙サイズなど）を取得し、取得した情報に基づき、蓄積された印刷ジョブの一覧を液晶表示部１１に表示させる（ステップ♯１）。
【００９３】
そして、タッチパネル部１２や表示制御部１０は、連結したい印刷ジョブの選択と、連結両面印刷キーＫ０の押下を受け付ける（ステップ♯２）。そして、表示制御部１０は、基本画面９２を表示し、自動キーＫ４が押され、本体制御部８によるページの自動配置を行うか否かを確認する（ステップ♯３）。もし、自動キーＫ４が押されたとき（ステップ♯３のＹｅｓ）、ステップ♯１２（詳細は後述）に移行する。即ち、入力部（操作パネル１）は、ページ配置設定として、連結する印刷ジョブを自動的に配置させる自動配置設定を受け付け、配置処理部（本体制御部８）は、連結するそれぞれの印刷ジョブのページ数を確認し、それぞれのグループのページ数の差が最も少なくなるように、連結するそれぞれの印刷ジョブを２つのグループに分け、一方のグループの印刷ジョブのページを用紙の表面に配置し、他方のグループの印刷ジョブのページを用紙の裏面に配置する。尚、ステップ♯１２ではなく、ステップ♯１０に移行してもよい。
【００９４】
一方、自動キーＫ４が押されないとき（ステップ♯３のＮｏ）、本体制御部８は、関連付けキーＫ５が押され、関連づけによるページ配置を行うか否かを確認する（ステップ♯４）。もし、関連付けによるページ配置を行わず（ステップ♯４のＮｏ）、直接指定キーＫ６が押されたとき（ステップ♯４のＮｏ）、表示制御部１０は、直接指定画面９４を表示する（ステップ♯５）。そして、表示制御部１０やタッチパネル部１２は、使用者による表面に印刷する印刷ジョブの指定（ステップ♯６）と、裏面に印刷する印刷ジョブの指定（ステップ♯７）と直接指定画面９４での次キーＫ１２の押下を受け付ける。
【００９５】
即ち、入力部（操作パネル１）は、連結する印刷ジョブのうち、用紙の表面に印刷する印刷ジョブを選択する入力、及び／又は、用紙の裏面に印刷する印刷ジョブを選択する入力をページ配置設定として受け付け、配置処理部（本体制御部８）は、用紙の表面に印刷すると選択された印刷ジョブのページが表面に印刷されるようにページを配置し、用紙の裏面に印刷すると選択された印刷ジョブのページが裏面に印刷されるようにページを配置する。
【００９６】
一方、関連付けによるページ配置を行うとき（関連付けキーＫ５が押されたとき、ステップ♯４のＹｅｓ）、表示制御部１０は、関連付け設定画面９３を表示する（ステップ♯８）。そして、表示制御部１０やタッチパネル部１２は、使用者による印刷ジョブの関連付け入力と、関連付け設定画面９３での次キーＫ１４の押下を受け付ける（ステップ♯９）。即ち、入力部（操作パネル１）は、ページ配置設定として、連結する印刷ジョブのうち、関連付ける印刷ジョブを設定する関連付け設定を受け付け、配置処理部（本体制御部８）は、関連付け設定がなされた各印刷ジョブのページが、用紙の表面又は裏面のいずれか一方にまとめて印刷されるように、ページの配置を行う。
【００９７】
ステップ♯７とステップ♯９の後（直接指定画面９４や関連付け設定画面９３で次キーＫ１２、Ｋ１４が押された後）、表示制御部１０は、最小化設定画面９５を液晶表示部１１に表示させる（ステップ♯１０）。そして、表示制御部１０やタッチパネル部１２は、最小化設定画面９５での使用者の入力を受け付ける（ステップ♯１１）。具体的には、最小化実行キーＫ７が押されたか、非最小化キーＫ８のいずれが押されたかを確認する。
【００９８】
即ち、配置処理部（本体制御部８）は、入力部（操作パネル１）になされた設定に基づきページの配置を行うと、片面のみ印刷される用紙が２枚以上生ずるとき、印刷に用いる用紙が最小となるように、連結する印刷ジョブのページを用紙の両面に配置して、ページの配置を変更することがある。
【００９９】
そして、最小化実行キーＫ７と非最小化キーＫ８のいずれが押され、最小化設定画面９５での設定が終了すると、表示制御部１０は、マーキング設定画面９６を液晶表示部１１に表示させる（ステップ♯１２）。そして、表示制御部１０やタッチパネル部１２は、マーキング設定画面９６での使用者の入力を受け付ける（ステップ♯１３）。具体的には、マーキング実行キーＫ９が押されたか、マーキング非実行キーＫ１０のいずれが押されたかを確認する。
【０１００】
即ち、画像形成部５は、いずれの印刷ジョブかを示す識別符号をページ内に印刷する。又、入力部（操作パネル１）は、識別符号を印刷するか否かの設定を受け付け、画像形成部５は、識別符号（マーク）を印刷すると設定されたとき、識別符号をページ内に印刷する（マーキングする）。
【０１０１】
そして、表示制御部１０は、マーキング設定画面９６で、今までの設定内容で連結両面印刷を実行する旨の入力がなされたかを確認する（ステップ♯１４）。具体的には、タッチパネル部１２や表示制御部１０は、マーキング設定画面９６で、連結両面印刷実行キーＫ１１が押されたかを確認する（ステップ♯１４）。そして、連結両面印刷実行キーＫ１１が押されず（ステップ♯１４のＮｏ）、キャンセルキーＫ１３が押されたとき、連結両面印刷の設定内容を破棄し、そのまま設定は終了すればよい（エンド）。
【０１０２】
一方、連結両面印刷実行キーＫ１１が押されたとき（ステップ♯１４のＹｅｓ）、表示制御部１０は、操作パネル１での連結両面印刷の設定内容を本体制御部８に送信する（ステップ♯１５）。設定内容としては、連結両面印刷を行うと選択された印刷ジョブや、自動配置を行うか、関連付けや、表面や裏面への印刷の直接指定内容や、最小化の必要の有無や、マーキングの必要の有無が、操作パネル１から本体制御部８に伝えられる（ステップ♯１５）。
【０１０３】
そして、本体制御部８が各印刷ジョブに含まれる画像データを処理して、設定内容にあわせ、ページ配置を行う（ステップ♯１６）。そして、本体制御部８は、配置されたページに合わせ、画像形成部５や、両面搬送路７ｂなどを動作させ、連結両面印刷を実行させる（ステップ♯１７→エンド）。
【０１０４】
即ち、本発明に係る画像形成装置（例えば、複合機１００）は、１又は複数ページ分の画像データを含む印刷ジョブを入力するためのジョブ入力部（画像読取部２、通信部８３等）と、複数の印刷ジョブを記憶する記憶部８２と、記憶部８２に記憶された複数の印刷ジョブを連結し両面印刷を行う連結両面印刷の設定を受け付ける入力部（操作パネル１）と、連結両面印刷の設定がなされたとき、連結される印刷ジョブのうち、少なくとも１つの印刷ジョブのページが用紙の一方の面に並んで印刷されるように、連結両面印刷でのページの配置を行う配置処理部（本体制御部８）と、画像データに基づき、用紙に印刷を行うとともに、配置処理部が行ったページの配置に基づき印刷を行う画像形成部５と、用紙の両面に印刷するため、片面印刷済みの用紙を再度、画像形成部５に送り込む両面印刷機構（排出搬送部７ａ、両面搬送路７ｂ）と、を含む。又、入力部は、連結両面印刷での各印刷ジョブのページの配置を設定するページ配置設定を受け付け、配置処理部は、ページ配置設定に基づき、連結両面印刷でのページの配置を行う。
【０１０５】
このようにして、本発明の第１の実施形態によれば、連結両面印刷の設定がなされたとき、連結される印刷ジョブうち、少なくとも１つの印刷ジョブのページが用紙の一方の面に並んで印刷されるように、連結両面印刷でのページの配置がなされる。これにより、使用者は、用紙をひっくり返すことなく、片面印刷の場合と同様に、用紙の一方の面のみで、印刷ジョブの内容を続けて確認することができる。又、現在見ているページが表面か裏面か、わかりづらくなることもない。又、印刷ジョブでの隣合うページの照らし合わせも容易に行える。従って、連結両面印刷物の読みやすさを向上させることができる。尚、本発明の両面印刷物を得るには、従来、設定を行い片面印刷した後、印刷順に注意しつつ再度設定を行い、実行する印刷ジョブとそのページ数や、印刷方向や、用紙詰まりに注意しながら、手差しトレイなどへ片面印刷済み用紙をセットして、未印刷面に印刷を実行するなど、非常な手間、使用者の作業が必要であり、煩わしいものであった。しかし、本発明によれば、多くの手間、作業を省くことができ、簡易に、読みやすい両面印刷物を得ることができる。
【０１０６】
又、入力したページ配置設定に基づき、連結両面印刷でのページの配置が行われる。これにより、使用者は、それぞれの印刷ジョブのページを、両面印刷の表面と裏面のいずれかに、任意に配置することができる。従って、あるページから、他の印刷ジョブのページの参照の関係を考慮しつつ、連結両面印刷物が読みやすくなるように、ページ配置の設定を行うことができる。又、それぞれのグループのページ数の差が最も少なくなるように、連結するそれぞれの印刷ジョブを２つのグループに分け、一方のグループの印刷ジョブのページを用紙の表面に配置し、他方のグループの印刷ジョブのページを用紙の裏面に配置する。これにより、同じ印刷ジョブのページは、用紙の一方の面に並べて印刷されるようにしつつ、自動的に、消費される用紙の枚数も少なくすることができる。従って、使用者は、細かい設定を行うことなく、読みやすい両面印刷物を得ることができる。
【０１０７】
又、関連付け設定がなされた各印刷ジョブのページが、用紙の表面又は裏面のいずれか一方にまとめて印刷されるように、ページの配置がなされる。これにより、印刷ジョブ間の参照の頻度を考慮して関連付けを行えば、自動的に各印刷ジョブのページの配置がなされる。従って、使用者は、細かい設定を行うことなく、読みやすい両面印刷物を得ることができる。
【０１０８】
又、用紙の表面に印刷すると選択された印刷ジョブのページが表面に印刷されるようにページが配置される。又、用紙の裏面に印刷すると選択された印刷ジョブのページが裏面に印刷されるようにページが配置される。これにより、使用者は、いずれの面にどの印刷ジョブを配するかを自由に設定することができる。従って、使用者は、所望する印刷物を得ることができる。
【０１０９】
又、片面のみ印刷される用紙が２枚以上生ずるとき、連結する印刷ジョブのうち、１つの印刷ジョブの一部又は全部のページを、用紙の両面に配置し、印刷に用いる用紙が最小となるように、連結する印刷ジョブの一部又は全部のページを、用紙の両面に配置する。これにより、連結両面印刷で用いられる用紙の枚数を最小に抑えることができる。従って、連結両面印刷による用紙の消費増加を抑えることができる。例えば、用紙の両面にページが配される印刷ジョブは、関連付けられた印刷ジョブでない印刷ジョブとしてもよい。
【０１１０】
又、いずれの印刷ジョブかを示す識別符号がページ内に印刷される。この識別符号が印刷物に自動的に付されることにより、現在見ているページがどの印刷ジョブのページかを容易に把握することができる。又、識別符号を印刷すると設定されたとき、識別符号はページ内に印刷される。これにより、使用者は、識別符号を印刷するか否かを選択することができる
【０１１１】
（第２の実施形態）
次に、図１６、図１７を用いて、本発明の第２の実施形態を説明する。図１６は、本発明の第２の実施形態に係る集約処理を説明するための説明図である。図１７は、本発明の第２の実施形態に係る連結両面印刷でのページ配置の一例を示す説明図である。
【０１１２】
第１の実施形態では、印刷ジョブの一部（場合により全部）のページの配置を、用紙の配置しようとした面から裏側の面に配置を変更する（本来の面から他面に変更する）ことにより、連結両面印刷での用紙枚数の最小化を行った。しかし、第２の実施形態では、１ページに複数ページを集約して印刷することにより、連結両面印刷での用紙の最小化を図る点で異なる。
【０１１３】
まず、図１６を用い、本実施形態での集約を説明する。集約には、２ページ分の画像データを１ページに落とし込む２ｉｎ１など、多様な集約方法がある。例えば、２ｉｎ１で集約を行うと、ページを９０度（あるいは２７０度）回転させたうえで、１ページ内に２ページが集約される。
【０１１４】
しかし、連結両面印刷物において、一部のページが、２ｉｎ１に集約されたものであると、集約されたページを見るとき、印刷物を読む視点の移動方向を９０度（あるいは２７０度）変えなくてはならない。このような読み方の変更は、読みづらさを招く。
【０１１５】
そこで、本実施形態では、連結両面印刷で集約処理を行うとき、図１６に示すように、４ｉｎ１での集約を行って、印刷物を読む視点の移動方向（文字の方向）を変えなくてすむようにする。例えば、本体制御部８は、１ページあたりの面積が１／４となるように、画像処理部８４に画像データを縮小させ、１ページに４ページを集約させる。尚、１ページの集約数は、４ｉｎ１に限らず、印刷物を読む視点の移動方向（文字の方向）を変えなくてすむ集約数であればよい（例えば、１６ｉｎ１）。
【０１１６】
次に、図１７を用いて具体的な例を説明する。図１７の場合も、第１の実施形態と同様、印刷ジョブＡ（計３ページ）、印刷ジョブＢ（計６ページ）、印刷ジョブＣ（計５ページ）、印刷ジョブＤ（計２ページ）を用いて説明する。
【０１１７】
例えば、印刷ジョブＡ〜印刷ジョブＤを連結両面印刷すると選択され、印刷ジョブＡ、印刷ジョブＣ、印刷ジョブＤが関連付けられたとき、第１の実施形態と同様に、用紙枚数の最小化を行わなければ、例えば、図１７の上段のように、まず、本体制御部８は、表面に１０ページ、裏面に６ページを配置する。
【０１１８】
そして、集約による用紙枚数の最小化を行うとき、本体制御部８は、片面しか印刷されない用紙が１枚以下に収まるように、印刷枚数が多い方の面の一部のページを集約して、ページを配置する。例えば、図１７に示すように、本体制御部８は、印刷ジョブＣの一部のページと、印刷ジョブＤを１ページに集約して印刷させる。このようにしても、読みやすさを維持しつつ、連結両面印刷で使用される用紙を最小化することができる。尚、本説明では、関連付けを行ったときについての集約による用紙の最小化を説明したが、自動配置を行ったときや、印刷ジョブを表面、裏面のいずれに印刷するか、直接指定したときも同様に、集約による用紙の最小化を行うことができる。
【０１１９】
このようにして、本実施形態の画像形成装置（例えば、複合機１００）は、配置処理部（本体制御部８）は、入力部（操作パネル１）になされた設定に基づきページの配置を行うと、片面のみ印刷される用紙が２枚以上生ずるとき、ページが多い方の面に配する印刷ジョブのページのうち一部又は全部のページを、１ページ内に複数ページを集約して、片面のみ印刷される用紙が１枚以下に収まるように、ページを配置する。これにより、第１の実施形態の効果に加え、片面のみ印刷される用紙が２枚以上生ずるとき、片面のみ印刷される用紙が１枚以下に収まるように、１ページ内に複数ページを集約する。このように集約を行っても、連結両面印刷で用いられる用紙の枚数を最小に抑えることができる。従って、連結両面印刷による用紙の消費増加を抑えることができる。
【０１２０】
次に、他の実施形態を説明する。上記の実施形態では、本体制御部８を、連結両面印刷での印刷ジョブの各ページの配置を行う配置処理部として用いる例を説明したが、専用のハードウェアを設け、専用のハードウェアを配置処理部として用いて、各ページの配置が行われてもよい。又、画像処理部８４が、本体制御部８内、あるいは、本体制御部８外に設けられるのを問わず、画像処理部８４を配置処理部として用いてもよい。
【０１２１】
本発明の実施形態を説明したが、本発明の範囲はこれに限定されるものではなく、発明の主旨を逸脱しない範囲で種々の変更を加えて実施することができる。
【産業上の利用可能性】
【０１２２】
本発明は、印刷ジョブを蓄積し、両面印刷可能な画像形成装置に利用可能である。
【符号の説明】
【０１２３】
１００  複合機（画像形成装置）          １      操作パネル（入力部）
２      画像読取部（ジョブ入力部）      ５      画像形成部
７ａ    排出搬送部（両面印刷機構）      ７ｂ    両面搬送路（両面印刷機構）
８      本体制御部（配置処理部）        ８２    記憶部
８３    通信部（ジョブ入力部）
【図１】
0005427751.tif 000002
【図２】
0005427751.tif 000003
【図３】
0005427751.tif 000004
【図４】
0005427751.tif 000005
【図５】
0005427751.tif 000006
【図６】
0005427751.tif 000007
【図７】
0005427751.tif 000008
【図８】
0005427751.tif 000009
【図９】
0005427751.tif 000010
【図１０】
0005427751.tif 000011
【図１１】
0005427751.tif 000012
【図１２】
0005427751.tif 000013
【図１３】
0005427751.tif 000014
【図１４】
0005427751.tif 000015
【図１５】
0005427751.tif 000016
【図１６】
0005427751.tif 000017
【図１７】
0005427751.tif 000018